(57)【要約】【目的】書籍本体を、立ち見、立ち読み、盗写を、防止する装置を提供する【構成】書籍本体のおもて表紙側を上方に開き、ウラ表紙側を下方に開き、残った書籍の本体を任意の結束材で、ハチ巻き状に結束するが、結束材は、必要により、伸び縮みできる結束材、又は、紐状の結束材を使用し、ハチ巻き状に結束し、且つ、書籍本体を、外部より立て方向と、横方向から、ハチ巻き状に結束する。【選択図】図１
2005067184.tif 000002
【特許請求の範囲】
【請求項１】
書籍本体のおもて表紙側の任意の場所の一部を上方に開き、下方に残ったウラ表紙側は、ウラ表紙だけを下方に開き、場合によりウラ表紙側の残った本体の一部も下方に開き、残った本体の任意の場所を、任意の場所にミシン目を有する結束材で、任意の方法でハチ巻き状に結束し、結束材の両端を、任意の場所で仟意の方法で締め付け固定結束し、任意の方法で止める、必要により、結束材の任意の場所に、印刷も出来るようにした書籍立ち読み防止装置。
【請求項２】
前記結束材に、事前にミシン目を入れ印刷をした結束材で、ウラ表紙側も本体の一部を残し、ウラ表紙共に下方に開き、本体のみをハチ巻き状に結束することを特徴とする請求項１の書籍立ち読み防止装置。
【請求項３】
前記の結束材にてウラ表紙側も共に、ハチ巻き状に結束することを特徴とする請求項１又は２の書籍立ち読み防止装置。
【請求項４】
前記結束材にミシン目も入れず印刷もしない結束材で、ハチ巻き状に結束し、結束材の両端を任意の場所で止め、結束材の一部をツマ厶ことが出来るように残して結束したことを特徴とする請求項１と２と又は３の書籍立ち読み防止装置。
【請求項５】
前記結束材の任意の場所の平面に切り込みを入れ、本体をハチ巻き状に結束し、結束材の両端を、任意の場所で止めることを特徴とする請求項１と２と３又は４の書籍立ち読み防止装置。
【請求項６】
前記結束材が伸び縮みが出来る結束材でハチ巻き状に結束することを特徴とする請求項１と２と３と４又は５の書籍立ち読み防止装置。
【請求項７】
前記結束材を紐状の結束材にてハチ巻き状に結束し、両端を任意の場所で止めることを特徴とする請求項１と２と３と４又は５と６の書籍立ち読み防止装置。
【請求項８】
前記の結束材で、おもて表紙と書籍本体とウラ表紙共に、結束材にてハチ巻き状に、たて方向に結束し、結束材の両端を、任意の場所で任意の方法で、止めることを特徴とする請求項と２と３と４と５又は６と７の書籍立ち読み防止装置。
【請求項９】
前記の結束機で、おもて表紙と、書籍本体と、ウラ表紙共に、結束材でハチ巻き状に、横方向に結束し、結束材の両端を、任意の場所で任意の方法で、止めることを特徴とする請求１と２と３と４と５と６又は７と８の書籍立ち読み防止装置。
【発明の詳細な説明】
【発明の詳細な説明】
【技術分野】
【０００１】  本発明は、書籍に係るものである。書籍は、大小種類が多々有り、従来より主に書店で陳列して、販売されていた。購入者は、必要書籍を求めて、書籍を物色する過程で、立って、書籍を手に取り、持ち、各ページ等を見て判断して、理解し、必要書籍を購入するか、又は、立ち読みだけをして、立ち去るかする。又、大勢の購入者の中には、写真機等にて、盗写する購入者もいるから、本発明は、係る悪質な購入者の行為を防ぐ為に、書籍の本体の一部を、結束材にて結束して、書籍本体の内部が、一部だけみることが出来るようにした書籍立ち読み防止装置に、係るものである。
【背景技術】
【０００２】  従来から、書籍には、書籍立ち読み、立ち見、盗写防止装置は、無かった。
【発明が解決しようとする課題】
【０００３】  書籍には、立ち読み、立ち見、盗写等を、防止する装置が無かったから、本発明は、書籍の立ち読み、立ち見、盗写の問題を、解決しようとしてなされたものである。
【問題を解決しようとする手段】
【０００４】  上記、問題を解決するために、本発明は、下記、書籍立ち読み防止装置を、提供するものである。
【０００５】  （１）書籍本体のおもて表紙側の任意の場所の一部を上方に開き、下方に残ったウラ表紙側はウラ表紙だけを、下方に開き、場合により、ウラ表紙側の残った、本体の一部を下方に開き、残った本体の任意の場所を、任意の場所にミシン目を有する結束材で、任意の方法で、ハチ巻き状に結束し、結束材の両端を、任意の場所で、任意の方法で、締め付け、固定結束し、任意の方法で止める、必要により、結束材の任意の場所に、印刷も出来るようにした書籍立ち読み防止装置。
【請求項１】
【０００６】  （２）結束材に、事前に、ミシン目を入れ印刷した結束材で、ウラ表紙側に本体の一部を残し、ウラ表紙共に下方に開き、ウラ表紙を残し、本体のみをハチ巻き状に結束することを特徴とする。
【請求項２】
【０００７】  （３）結束材にてウラ表紙共に、ハチ巻き状に、結束することを特徴とする。
【請求項３】
【０００８】  （４）結束材にミシン目を入れず、印刷をしない結束材で、ハチ巻き状に結束し、結束材の両端を、任意の場所で止め、一部にツマムことの出来る部分を有することを特徴とする。
【請求項４】
【０００９】  （５）結束材の任意の場所の平面に、切り込みを付け、ハチ巻き状に結束し、結束材の両端を、任意の場所で、止めることを特徴とする。
【請求項５】
【００１０】  （６）結束材が、伸び縮みすることの出来る結束材で、ハチ巻き状に結束することを特徴とする。
【請求項６】
【００１１】  （７）紐状の結束材で、ハチ巻き状に結束し、両端を、任意の方法で、止めることを特徴とする。
【請求項７】
【００１２】  （８）結束材にて、おもて表紙と書籍本体とウラ表紙共に、結束材にて、縦方向に、ハチ巻き状に結束し、結束材の両端を、任意の場所で、任意の方法で、止めることを特徴とする。
【請求項８】
【００１３】  （９）結束材にて、おもて表紙と本体とウラ表紙共に、横方向にハチ巻き状に任意の場所で結束し、結束材の両端を、任意の場所で、任意の方法で、止めることを特徴とする。
【請求項９】
【発明を実施するための最良の形態】
【００１４】  書籍本体を、結束材にて、結束する。
【実施例】
【００１５】  次に、本発明の実施例を、添付図面にて説明する。【００１６】図１は、書籍本体１のおもて表紙側２の任意の場所の、一部を上方に開き、下方に残ったウラ表紙側は、ウラ表紙７だけを下方に開き、場合によりウラ表紙側の残った本体３の一部も下方に開き、残った本体３の、任意の場所を、任意の場所に、ミシン目４を有する結束材５で任意の方法で、ハチ巻き状に結束し、結束材の両端を、任意の場所６で、任意の方法で締め付け固定し結束し、任意の方法で止める、必要により結束材５の任意の場所５’に、印刷する。【００１７】図２は、事前に、結束材５の任意の場所に、ミシン目４と任意の場所に印刷８をした結束材５で、おもて表紙側２を、本体１の一部と共に、上方に開き、ウラ表紙７側も、残った本体３の一部７’と共に、下方に開き、残った本体３のみをハチ巻き状に結束し、結束材５の両端を、任意の場所６で止めるのである。【００１８】図３は、おもて表紙側は上方に開き、ウラ表紙７と本体３を、ウラ表紙７と共に、結束材５にて結束し、結束材の両端を、任意の場所６で、任意の方法で止め結束するのである。【００１９】図４は、おもて表紙側２を上方に開き、結束材５にミシン目４も入れず印刷８もしない結束材５にて、おもて表紙側２を上方に開き、残り本体３を任意の方法でハチ巻き状に結束し、結束材５の両端を、任意の場所６で止め、止めた部分の任意の場所に、ツマム９ことが出来る部分を有する結束材５にて、残った本体３を結束するのである。【００２０】図５は、おもて表紙側２を、上方に開き、結束材５の任意の場所の平面部に切り込み１０を入れ、ウラ表紙７は下方に開き、残った本体３をハチ巻き状に結束し、結束材５の両端を、任意の場所６で止め、結束するのである。【００２１】図６は、おもて表紙側２を、上方に開き、伸び縮みの出来る結束材５で、ウラ表紙７を下方に開き、残った本体３を、ハチ巻き状に結束するのである。【００２２】図７は、おもて表紙側２を上方に開き、組状の結束材１２で、ウラ表紙を下方に開き、残った本体３を任意の方法で、ハチ巻き状に結束し、紐の両端を、任意の方法で、ハチ巻き状に結束し、紐の両端を、任意の方法で、止め部１３で止めるのである。【００２３】図８は、結束材５にて、おもて表紙２と本体１とウラ表紙７を、共に、結束材５にて、ハチ巻き状に縦方向１４に結束し、結束材５の両端を、任意の場所６で、任意の方法で止めるのである。【００２４】図９は、結束材５にて、おもて表紙２と本体１とウラ表紙７を、共に、横方向に、ハチ巻き状に任意の場所で結束し、結束材５の両端を、任意の場所６で、任意の方法で止めるのである。
【発明の効果】
【００２５】  請求項１の書籍立ち読み防止装置により、書籍立ち読み、立ち見、盗写等の悪質行為がなくなる。
【００２６】請求項２，３，４，５，６，７，８，９も請求項１と同様の効果を、発揮する。
【図面の簡単な説明】
【図１】書籍本体のおもて表紙側を上方に開き、ウラ表紙を下方に開き、結束材にて、残った本体をハチ巻き状に結束し、結束材の両端を止めた状態を示す展開図である
【図２】おもて表紙側を上方に開き、ウラ表紙と本体の一部を下方に開き、残った本体を、印刷とミシン目を有する結束材にて、ハチ巻き状に結束した状態を示す展開図である。
【図３】おもて表紙側を上方に開き、ウラ表紙側をウラ表紙と共に、ハチ巻き状に結束した状態を示す展開図である。
【図４】おもて表紙側を上方に開き、ウラ表紙側を下方に開き、結束材で、残った本体をハチ巻き状に結束し止め、ツマム部分を有する状態を示す展開図である。
【図５】おもて表紙側を上方に開き、ウラ表紙側を下方に開き、平面に切り込みを入れた結束材で、残った本体３をハチ巻き状に結束した状態を示す展開図である。
【図６】おもて表紙側を上方に開き、ウラ表紙側を下方に開き、伸び縮みする結束材にて、本体をハチ巻き状に結束した状態を示す展開図である。
【図７】おもて表紙側を上方に開き、ウラ表紙側を下方に開き、残った本体を紐状の結束材にて、ハチ巻き状に結束し、両端を止めた状態を示す展開図である。
【図８】結束材で、書籍本体を、縦方向に結束した状態を示す展開図である。
【図９】書籍本体を、横方向に、結束した状態を示す展開図である。
【符号の説明】
１  書籍本体
２  おもて表紙
３  残った本体
４  ミシン目
５  結束材
５’  印刷できる部分
６  止め部
７  ウラ表紙
７’  ウラ表紙側本体の一部
８  印刷
９  ツマム部分
１０  切り込み部分
１１  伸び縮みする結束材
１２  紐状結束材
１３  紐状止め部
１４  結束材の縦方向を示す
１５  結束材の横方向を示す
【図１】
2005067184.tif 000003
【図２】
2005067184.tif 000004
【図３】
2005067184.tif 000005
【図４】
2005067184.tif 000006
【図５】
2005067184.tif 000007
【図６】
2005067184.tif 000008
【図７】
2005067184.tif 000009
【図８】
2005067184.tif 000010
【図９】
2005067184.tif 000011